(57)【要約】【課題】容器内部に充填された内容物を吐出する操作が簡単且つ容易に行え、その内容物の吐出量を常時一定に保つことができる内容物押出し容器を提供する。【解決手段】内容物押出し容器１を構成する第１容器２に枢着した外蓋４を開方向に回動操作するとともに、ウォームギャ機構を構成する第１のギャ１１及び第２のギャ１２を介して、外蓋４の開操作に対応した回転量だけ第２容器３及び押出し体５を一体的に回転させ、第２容器３の回転に対応した移動量だけ咬み込み片７の咬み込みにより押出し体５が上昇し、押出し体５の上昇に対応した量の内容物Ａが第２容器３の吐出口３ｃから吐出させる。【選択図】  図１
2006230840.tif 000002
【特許請求の範囲】
【請求項１】
第１容器の開口部に第２容器を相対回動自在に嵌合し、
上記第２容器の上部に、該第２容器に充填した内容物が吐出される吐出口を設け、
上記第１容器の下部側内壁面に対して上方に向けて鉛直に設けたシャフトを、上記第２容器の内壁面に沿って上下摺動する押出し体の孔部に挿通し、
上記各押出し体に、上記シャフトの外周面に対して螺旋状の咬み込む咬み込み片を設け、
上記第１容器の一側上縁部に、上記第２容器の吐出口を閉塞する外蓋を開閉自在に枢着するとともに、
上記第１容器と上記外蓋との枢着部分に、上記外蓋の開方向への回動操作に対応して上記第１容器と第２容器とを一方向に向けて相対回動する相対回動手段を設けた
内容物押出し容器。
【請求項２】
第１容器の開口部に第２容器を相対回動自在に嵌合し、
上記第２容器の上部に、該第２容器に充填した内容物が吐出される吐出口を設け、
上記第２容器の上部側内壁面に対して垂直に設けたシャフトを、上記第１容器の内壁面に沿って上下摺動する押出し体の孔部に挿通し、
上記各押出し体に、上記シャフトの外周面に対して螺旋状に咬み込む咬み込み片を設け、
上記第１容器の一側上縁部に、上記第２容器の吐出口を閉塞する外蓋を開閉自在に枢着するとともに、
上記第１容器と上記外蓋との枢着部分に、上記外蓋の開方向への回動操作に対応して上記第１容器と第２容器とを一方向に向けて相対回動する相対回動手段を設けた
内容物押出し容器。
【請求項３】
第１容器の開口部に第２容器を相対回動自在に嵌合し、
上記第２容器の上部に、上記第１容器の下側内部に充填された内容物を吐出する第１の吐出口と、該第２容器に近い第１容器の上側内部に充填された内容物を吐出する第２の吐出口とを設け、
上記第１の吐出口に接続した中空のシャフトを、上記第１容器の内壁面に沿って上下摺動する各押出し体の孔部にそれぞれ挿通し、
上記各押出し体に、上記シャフトの外周面に対して螺旋状に咬み込む咬み込み片を該各押出し体の移動方向に応じてそれぞれ設け、
上記第１容器の一側上縁部に、上記第２容器の吐出口を閉塞する外蓋を開閉自在に枢着するとともに、
上記第１容器と上記外蓋との枢着部分に、上記外蓋の開方向への回動操作に対応して上記第１容器と第２容器とを一方向に向けて相対回動する相対回動手段を設けた
内容物押出し容器。
【請求項４】
上記相対回動手段を、上記外蓋の枢着部分に軸支した第１ギャと、上記第１容器の外周面に沿って円周方向に形成した第２ギャとを互いに噛合するとともに、
上記外蓋を開方向に回動するとき上記第１ギャを一体的に回転させ、該外蓋を閉方向に回動するとき上記第１ギャを自由回転させ、該外蓋の開操作に対応したピッチ分だけ上記第１容器及び第２容器の相対回動を許容する回転規制手段を設けて構成した
請求項１〜３のいずれか一つに記載の内容物押出し容器。
【請求項５】
上記シャフトの外面と、上記押出し体の孔部内面とを回転力が伝達される形状に形成し、
上記咬み込み片を、上記容器の内壁面に対して螺旋状に咬み込むように設けた
請求項１〜４のいずれか一つに記載の内容物押出し容器。
【請求項６】
上記シャフトを、上記内容物の流動が許容される中空形状に形成した
請求項２〜５のいずれか一つに記載の内容物押出し容器。
【請求項７】
上記内容物押出し容器の一部又は全部が透光性を有する
請求項１〜６のいずれか一つに記載の内容物押出し容器。
【発明の詳細な説明】
【技術分野】
【０００１】
この発明は、例えば粘度の柔らかいクリーム、練り食品、接着剤、絵の具等の様々な内容物を所定量吐出するときに用いられる内容物押出し容器に関する。
【背景技術】
【０００２】
従来、上述の内容物を吐出する押出し型の容器としては、例えばびん形状を有する容器の内壁面と、円形板の外周縁部とに形成したネジ山を互いに螺合して、円形板を回転させながら下降させ、容器内部に充填したクリームを、円形板の穴から押し出すような特許文献１のクリーム用ディスペンサーがあるが、内容物を押し出す場合、円形板を回動操作しなければならず、内容物を吐出するのに手間が掛かる。また、円形板の回転量によって内容物の押し出し量が変動するため、内容物の押し出し量を常時一定に保つことが難しい。
【０００３】
一方、容器本体内の中心に導通した螺軸を回転部材の回動操作により回転して、その螺軸上に螺合した押出盤を容器本体の内壁面に沿って垂直方向に摺動させ、容器本体内に充填した内容物を押出盤により加圧し、螺軸中心に形成した中空部を通って吐出口から吐出する特許文献２のクリーム押出し容器があるが、上記文献と同様に、回転部材を回動操作しなければならず、内容物を所定量吐出するのに手間が掛かる。また、回転部材の回動量によって内容物の吐出量が変動するため、内容物の吐出量を常時一定に保つことが難しい。
【０００４】
【特許文献１】特開平１−２５６９１０号公報
【特許文献２】特開２００１−２９９４４５号公報
【発明の開示】
【発明が解決しようとする課題】
【０００５】
この発明は上記問題に鑑み、容器内部に充填された内容物を吐出する操作が簡単且つ容易に行え、該内容物の吐出量を常時一定に保つことができる内容物押出し容器の提供を目的とする。
【課題を解決するための手段】
【０００６】
請求項１に記載した発明の内容物押出し容器は、第１容器の開口部に第２容器を相対回動自在に嵌合し、上記第２容器の上部に、該第２容器に充填した内容物が吐出される吐出口を設け、上記第１容器の下部側内壁面に対して上方に向けて鉛直に設けたシャフトを、上記第２容器の内壁面に沿って上下摺動する押出し体の孔部に挿通し、上記各押出し体に、上記シャフトの外周面に対して螺旋状の咬み込む咬み込み片を設け、上記第１容器の一側上縁部に、上記第２容器の吐出口を閉塞する外蓋を開閉自在に枢着するとともに、上記第１容器と上記外蓋との枢着部分に、上記外蓋の開方向への回動操作に対応して上記第１容器と第２容器とを一方向に向けて相対回動する相対回動手段を設けたことを特徴とする。
【０００７】
つまり、外蓋の開方向への回動操作に対応して、第１容器と第２容器とを相対回動手段により一方向に向けて相対回動させ、押出し体に設けた咬み込み片をシャフトの外周面に対して螺旋う状に咬み込ませるとともに、その咬み込みにより押出し体を第２容器の内壁面に沿って摺動させ、外蓋の開操作に対応した量の内容物を第２容器の吐出口から所定量吐出する。また、内容物は、例えば粘度の柔らかいクリーム、練り食品、接着剤、絵の具等で構成することができる。
【０００８】
請求項２に記載した発明の内容物押出し容器は、第１容器の開口部に第２容器を相対回動自在に嵌合し、上記第２容器の上部に、該第２容器に充填した内容物が吐出される吐出口を設け、上記第２容器の上部側内壁面に対して垂直に設けたシャフトを、上記第１容器の内壁面に沿って上下摺動する押出し体の孔部に挿通し、上記各押出し体に、上記シャフトの外周面に対して螺旋状に咬み込む咬み込み片を設け、上記第１容器の一側上縁部に、上記第２容器の吐出口を閉塞する外蓋を開閉自在に枢着するとともに、上記第１容器と上記外蓋との枢着部分に、上記外蓋の開方向への回動操作に対応して上記第１容器と第２容器とを一方向に向けて相対回動する相対回動手段を設けたことを特徴とする。
【０００９】
つまり、外蓋の開方向への回動操作に対応して、第１容器と第２容器とを相対回動手段により一方向に向けて相対回動させ、その相対回動によりシャフトを回転させて、押出し体に設けた咬み込み片をシャフトの外周面に対して螺旋状に咬み込ませるとともに、その咬み込みにより押出し体を第１容器の内壁面に沿って摺動させ、外蓋の開操作に対応した量の内容物を第２容器の吐出口から所定量吐出する。
【００１０】
請求項３に記載した発明の内容物押出し容器は、第１容器の開口部に第２容器を相対回動自在に嵌合し、上記第２容器の上部に、上記第１容器の下側内部に充填された内容物を吐出する第１の吐出口と、該第２容器に近い第１容器の上側内部に充填された内容物を吐出する第２の吐出口とを設け、上記第１の吐出口に接続した中空のシャフトを、上記第１容器の内壁面に沿って上下摺動する各押出し体の孔部にそれぞれ挿通し、上記各押出し体に、上記シャフトの外周面に対して螺旋状に咬み込む咬み込み片を該各押出し体の移動方向に応じてそれぞれ設け、上記第１容器の一側上縁部に、上記第２容器の吐出口を閉塞する外蓋を開閉自在に枢着するとともに、上記第１容器と上記外蓋との枢着部分に、上記外蓋の開方向への回動操作に対応して上記第１容器と第２容器とを一方向に向けて相対回動する相対回動手段を設けたことを特徴とする。
【００１１】
つまり、外蓋の開方向への回動操作に対応して、第１容器と第２容器とを相対回動手段により一方向に向けて相対回動させ、その相対回動によりシャフトを回転させて、各押出し体に設けた各咬み込み片をシャフトの外周面に対して螺旋状に咬み込ませるとともに、各押出し体を互いに離間する方向に向けて相対移動させて、第１容器の下側内部に充填された内容物を、シャフトの中を通って第１の吐出口から吐出し、第２容器に近い第１容器の上側内部に充填された内容物を第２の吐出口から吐出し、外蓋の開操作に対応した量の内容物を第２容器に設けた第１及び第２の吐出口から所定量吐出する。
【００１２】
請求項４に記載した発明の内容物押出し容器は、上記請求項１〜３のいずれか一つに記載の構成と併せて、上記相対回動手段を、上記外蓋の枢着部分に軸支した第１ギャと、上記第１容器の外周面に沿って円周方向に形成した第２ギャとを互いに噛合するとともに、上記外蓋を開方向に回動するとき上記第１ギャを一体的に回転させ、該外蓋を閉方向に回動するとき上記第１ギャを自由回転させ、該外蓋の開操作に対応したピッチ分だけ上記第１容器及び第２容器の相対回動を許容する回転規制手段を設けて構成したしたことを特徴とする。
【００１３】
つまり、外蓋を開方向に回動操作するとき、外蓋の回動操作に対応した回転量だけ第１ギャを一体的に回転するとともに、回転規制手段により外蓋の開操作に対応したピッチ分だけ第１容器及び第２容器の相対回動を許容して、第１ギャと第２ギャとの噛合により、外蓋の開操作に対応した量の内容物を第２容器の吐出口から吐出する。一方、外蓋を閉方向に回動操作するとき、第１ギャが自由回転して、外蓋の閉方向への回動を許容する。且つ、第２ギャが回転せず、第１容器及び第２容器の回転停止状態を維持するので、第２容器の吐出口から内容物が吐出されることがない。
【００１４】
また、第１ギャ及び第２ギャからなる機構は、例えばウォームギャ機構、傘歯車機構等で構成することができる。また、回転規制手段は、例えばラチェット機構、一方向クラッチ機構、カム機構等で構成することができる。
【００１５】
請求項５に記載した発明の内容物押出し容器は、上記請求項１〜４のいずれか一つに記載の構成と併せて、上記シャフトの外面と、上記押出し体の孔部内面とを回転力が伝達される形状に形成し、上記咬み込み片を、上記容器の内壁面に対して螺旋状に咬み込むように設けたことを特徴とする。つまり、シャフトと押出し体とを一体的に回転させると、押出し体に設けた咬み込み片が容器の内壁面に対して螺旋状に咬み込むとともに、その咬み込みにより押出し体が水平回転しながら上昇される。
【００１６】
請求項６に記載した発明の内容物押出し容器は、上記請求項２〜５のいずれか一つに記載の構成と併せて、上記シャフトを、上記内容物の流動が許容される中空形状に形成したことを特徴とする。つまり、容器に充填された内容物をシャフトの中を通って吐出口から吐出する。
【００１７】
請求項７に記載した発明の内容物押出し容器は、上記請求項１〜６のいずれか一つに記載の構成と併せて、上記内容物押出し容器の一部又は全部が透光性を有することを特徴とする。つまり、透光性（透明、半透明を含む）を有する内容物押出し容器の一部又は全部を介して、内容物の残量を外部から目視確認する。
【発明の効果】
【００１８】
この発明によれば、内容物押出し容器を構成する第１容器の一側上縁部に枢着された外蓋を開方向に回動操作するだけで、第１容器内部に充填された内容物を所定量吐出することができ、従来例のように円形板や回転部材を回動操作するような手間及び操作が省け、所定量の内容物を吐出する操作が簡単且つ容易に行える。且つ、外蓋の開操作に対応した量の内容物が第２容器の吐出口から吐出されるので、内容物の吐出量に過不足が生じるようなことがなく、内容物の吐出量を常時一定に保つことができる。
【発明を実施するための最良の形態】
【００１９】
この発明は、外蓋を開方向に回動操作するだけで、該外蓋の開操作に対応した量の内容物を第２容器の吐出口から所定量吐出することができるという目的を、することで達成することができる。
【実施例】
【００２０】
図１は、粘度の柔らかいクリームのような内容物Ａを所定量吐出する内容物押出し容器１の第１実施形態を示し、第１容器２の上部側に形成した開口部２ａ内に、第２容器３の下部側に形成した筒状部３ａを収容するとともに、第１容器２の下部内壁面に形成した係止部２ｂに、第２容器３の下部外壁面に形成した係止部３ｂを係止して、第１容器２と第２容器３とを相対回動自在に嵌合している。
【００２１】
また、合成ゴム製のＯリング８を、第２容器３の筒状部３ａ内壁面と、その筒状部３ａに収容した押出し体５外壁面との間に嵌着して、内容物Ａが漏洩するのを防止している。なお、Ｏリング８を、押出し体５の孔部５ａ内壁面とシャフト６の外周面との間に設けてもよい。また、Ｏリング８の代わりに、柔らかいプラスチックや合成ゴム、パッキン等を有するシール構造でシールしてもよい。
【００２２】
上記第１容器２の後側上縁部に枢着した外蓋４は、図５にも示すように、第２容器３の上面全体が閉塞又は覆われる大きさ及び形状に形成され、第１容器２の後側上縁部と外蓋４の後側下縁部とを枢着する支軸１０を中心として、上下方向に向けて開閉回動自在に設けている。また、外蓋４の下面中央部には、第２容器３の上面中央部に形成した吐出口３ｃと対向して、該吐出口３ｃを閉塞する凸状の栓部４ａを設けている。
【００２３】
また、外蓋４の前側縁部を、第１容器２の前側縁部よりも上方に浮き上がった支持するか、段差を付けるか、外側に突出する等して、例えば指、物等を外蓋４の前側縁部に引っ掛けて、外蓋４の開操作が容易に行えるように設けている。
【００２４】
且つ、支軸１０の両端部は、第１容器２の後側上縁部に形成した軸受部２ｈ，２ｈにより自由回転自在に軸受され、外蓋４の後側下縁部に形成した軸受部４ｃ，４ｃは、上記軸受部２ｈ，２ｈよりも内側の支軸１０の両端部に対して一体的に固定され、支軸１０上に組み付けた第１のギャ１１は、第２容器３の上部外周面に沿って円周方向に連続して形成した第２のギャ１２に噛合され、第１のギャ１１と第２のギャ１２とでウォームギャ機構を構成している。
【００２５】
つまり、支軸１０とギャ１１との対向面間に介在した一方向への相対回動を許容するラチェット機構１３は、外蓋４を開方向に回動操作するとき、外蓋４により一体的に回動される支軸１０の回転力をギャ１１に伝達して、外蓋４の回動操作に対応した回転量だけ支軸１０とギャ１１とを一体的に回動する。同時に、第１のギャ１１は、そのギャ１１の回動量に対応したピッチ分（又は歯数分）だけ第２のギャ１２を介して、第２容器３を図５に示す矢印方向に対して回転する。
【００２６】
一方、外蓋５を閉方向に回動操作するとき、ラチェット機構１３は、支軸１０の回転力をギャ１１に伝達せず、支軸１０自体の回転のみを許容して、支軸１０とギャ１１とを互いに自由回転又は空転させるので、外蓋５の閉方向への回動が許容される。同時に、ギャ１１が回転しないため、第２容器３は図５に示す矢印方向を含む正逆方向へ回転されることがなく、回転停止状態が維持される。且つ、ギャ１１がストッパの役目をするため、外蓋４の開閉操作に関係なく、第１容器２及び第２容器３が相対回動しようとするのを防止することができる。
【００２７】
なお、上記ラチェット機構１３は、第１容器２と第２容器３との対向面間に設けてもよい。また、ラチェット機構１３に代えて、例えば一方向クラッチ機構、カム機構等の機構で回転規制してもよい。
【００２８】
なお、吐出口３ｃの上面は、吐出された内容物Ａを指で掬い取るのに適した形状に形成している。また、吐出口３ｃは、第２容器３の上面中心部から離れた位置に設けてもよく、内容物Ａを略１００％吐出することができる位置であれば何処に設けてもよい。
【００２９】
前記第１容器２の下部側に形成した底部２ｃの中央部内壁面に、水平断面が中実・丸形のシャフト６を上方に向けて鉛直に固定（又は一体的に設ける等）している。実施例では、シャフト６の下端を、第１容器２の底部２ｃに対して回転不可に嵌合固定しているが、例えばネジ止め、接着、溶着する等して固定してもよい。一方、シャフト６の上端を、第２容器３の筒状部３ａ内壁面に沿って上下摺動する押出し体５の中央部に形成した孔部５ａに挿通し、シャフト６の上端側円錐部を、第２容器３の吐出口３ｃに対して内容物Ａの吐出が許容される間隔に隔てて近接している。
【００３０】
なお、押出し体５の少なくとも外壁部を、内容物Ａの漏洩を防止するのに必要なシール機能を有する軟質のプラスチックで形成してもよい。また、シャフト６の上端部に、内容物Ａの吐出が許容される溝部を単数又は複数設けてもよい。
【００３１】
また、図２に示すように、第２容器３の筒状部３ａ内壁面に沿って上下方向に連続して形成した凸部３ｆ，３ｆに、押出し体５の外周縁部に形成した凹部５ｂ，５ｂを上下摺動自在に係合して、押出し体５を回り止めしている。なお、凸部を押出し体５側に設け、凹部を第２容器３側に設けるか、第２容器３と押出し体５とを偏心して組み付ける等して、押出し体５を回り止めしてもよい。
【００３２】
前記押出し体５の孔部５ａ内壁面に設けた板状の咬み込み片７は、図３、図４にも示すように、シャフト６の外周面に対して所定深さ咬み込むように突設され、外蓋４の開操作により第２容器３を介して押出し体５が回転されると、押出し体５が上方に向けて移動するような傾斜角度に設けている。また、咬み込み片７の個数は、内容物押出し容器１の大きさ及び容積等に応じて決定され、１個から複数に変更することもできる。
【００３３】
また、咬み込み片７は、例えば金属、硬質のプラスチック等の材質で構成されるが、シャフト６の外周面よりも略２０％程度以上の硬度を有する材質であれば充分使用に耐え得る。
【００３４】
上記シャフト６に対する咬み込み片７の傾斜角度を大きくすると、押出し体５の移動量及び内容物Ａの吐出量が増加し、咬み込み片７の傾斜角度を小さくすると、押出し体５の移動量及び内容物Ａの吐出量が減少する。また、押出し体５の平面積とその移動量から内容物Ａの吐出量を算出することができる。また、押出し体５は、例えばリブ、枠等で補強すれば材料の削減を図ることができる。なお、板状の咬み込み片７に代えて、例えば円盤形、楕円形等の任意形状を有する咬み込み片７を用いてもよい。
【００３５】
また、シャフト６の外周面は、例えばプラスチック、合成ゴム等の材質で形成するのがよく、押出し体５の孔部５ａに接触したときでも滑り性が良く、内容物Ａの漏洩を防止するのに必要なシール性が得られる硬度及び形状が望ましい。且つ、咬み込み片７の咬み込みが許容されるような柔らかさに形成している。
【００３６】
前記第１容器２、第２容器３、外蓋４、押出し体５は、例えば金属、プラスチック、ガラス、セラミック、木等の単一又は複合した材質で構成される。また、第１容器２の外面は、例えば使用方法、使用上の注意、使用期限、製造会社、成分、容量、商標等の表示内容を印刷するか、その表示内容が印刷されたラベルを貼付している。
【００３７】
また、上記内容物押出し容器１を構成する第１容器２、第２容器３の一部又は全部を、例えば透明、半透明等の透光性を有する材質で形成すれば、その透光性を有する一部又は全部を介して、内容物Ａの残量を外部から目視確認することができる。また、第１容器２及びシャフト６の全長を長くして、内容物Ａの充填量容量を大きくしてもよい。
【００３８】
図示実施例は上記の如く構成するものにして、以下、内容物押出し容器１に充填された内容物Ａの吐出方法を説明する。
【００３９】
先ず、図１に示すように、内容物Ａを吐出する場合、第１容器２を手で把持したまま、外蓋４を開方向に回動操作すると、外蓋４と一体的に回動する支軸１０の回転力が、ラチェット機構１３を介してギャ１１に伝達され、外蓋４の回動操作に対応した回転量だけギャ１１が回転される。
【００４０】
且つ、ギャ１１の回動量に対応したピッチ分（又は歯数分）だけギャ１２を介して、第２容器３が図５に示す矢印方向に対して回転されるとともに、その第２容器３と押出し体５とが一体的に回転して、押出し体５の孔部５ａに設けた咬み込み片７をシャフト６の外周面に対して螺旋状に咬み込ませる。
【００４１】
且つ、咬み込み片７は押出し体５を上昇させる方向に咬み込むため、咬み込み片７の咬み込みにより押出し体５が水平回転しながら上昇し、第２容器３に充填された内容物Ａを押出し体５により下方から加圧して、第２容器３の吐出口３ｃから吐出するので、吐出された内容物Ａを指で掬い取ることができる。また、咬み込み片７の咬み込み部分を除いて、押出し体５の孔部５ａ内壁面と、シャフト６の外周面とが互いに密着され、相互の対向周面から内容物Ａが漏洩するのを防止する。
【００４２】
つまり、外蓋４の開操作に対応した回転量だけ第２容器３が図５に示す矢印方向に回転し、第２容器３の回転に対応した移動量だけ咬み込み片７の咬み込みにより押出し体５が上昇し、押出し体５の上昇に対応した量の内容物Ａが第２容器３の吐出口３ｃから吐出されるので、外蓋５の開操作を繰り返すたびに、第２容器３の吐出口３ｃから内容物Ａが所定量吐出され、内容物Ａの吐出量を常時一定に保つことができる。
【００４３】
また、図４の仮想線に示すように、シャフト６を押出し体５の孔部５ａに挿通するとき、孔部５ａに設けた咬み込み片７がシャフト６の挿通が許容される方向に弾性変位するので、押出し体５をシャフト６上の所望する位置にセットする作業が容易に行える。且つ、内容物Ａが充填された第２容器３を第１容器２に収容するとき、咬み込み片７を弾性変位させながら、押出し体５の孔部５ａに対してシャフト６を強制的に差し込むことができ、従来例のように螺旋方向に回動操作するような手間及び作業が省け、組み付け作業が簡単且つ容易に行える。
【００４４】
或いは、シャフト６を押出し体５の孔部５ａに対して所望する位置まで差し込んでから、板状の咬み込み片７を押出し体５に組み付けるか、図２１に示すようなリング状の咬み込み片７を押出し体５に組み付けてもよい。
【００４５】
以上のように、内容物押出し容器１を構成する第１容器２の後側上縁部に枢着した外蓋４を開方向に回動操作するだけで、第１容器２内部に充填された内容物Ａを所定量吐出することができ、従来例のように円形板や回転部材を回動操作するような手間及び操作が省け、所定量の内容物Ａを吐出する操作が簡単且つ容易に行える。且つ、外蓋４の開操作に対応した量の内容物Ａが第２容器３の吐出口３ｃから吐出されるので、内容物Ａの吐出量に過不足が生じるようなことがなく、内容物Ａの吐出量を常時一定に保つことができる。
【００４６】
なお、上記押出し体５を、第２容器３の筒状部３ａ内壁面に対して上下摺動可能及び水平回転可能に設け、押出し体５の孔部５ａと、孔部５ａに挿通されるシャフト６とを、例えば四角形、五角形等の多角形に形成する等して一体的に回転可能に設け、押出し体５の外周部に取り付けた複数の各咬み込み片７…を第２容器３の筒状部３ａ内壁面に咬み込ませてもよい。
【００４７】
図６、図７は、内容物Ａの流動が許容される水平断面が中空・丸形のシャフト６を、第２容器３の上部側中央内壁面に対して下方に向けて一体的に垂設した内容物押出し容器１の第２実施形態を示し、第１容器２の開口部２ａに内蓋形状の第２容器３を相対回動自在に嵌合し、第２容器３の吐出口３ｃに接続したシャフト６を、第１容器２の内壁面に沿って上下摺動する押出し体５中央部に形成した孔部５ａに挿通し、シャフト６下端に形成した吸入口６ａを、第１容器２の底部２ｃの中央部内壁面に形成した溜り部２ｄに対して内容物Ａの吸入が許容される間隔に隔てて近接している。
【００４８】
また、押出し体５の孔部５ａ内壁面に設けた咬み込み片７は、外蓋４の開操作により第２容器３を介してシャフト６が回転されると、押出し体５が下方に向けて移動するような傾斜角度に設けている。
【００４９】
また、第１容器２の内壁面に沿って上下方向に連続して形成した凸部２ｆ，２ｆに、押出し体５の外周縁部に形成した凹部５ｂ，５ｂを上下摺動自在に係合して、押出し体５を回り止めしている。なお、上述の第２実施形態に於いて、第１実施形態と同一構成の部分は同一の符号を記してその詳細な説明を省略する。
【００５０】
つまり、外蓋４を開方向に回動操作すると、ギャ１１及びギャ１２を介して、第２容器３とシャフト６とが一体的に回転され、押出し体５に設けた咬み込み片７がシャフト６の外周面に対して螺旋状に咬み込むとともに、咬み込み片７の咬み込みにより押出し体５が降下して、第１容器２に充填された内容物Ａを押出し体５により加圧し、シャフト６の中を通って吐出口３ｃから所定量吐出させるので、第１実施形態と略同等の作用及び効果を奏することができる。
【００５１】
図８、図９、図１０は、中実のシャフト６を第２容器３の上部側中央内壁面に対して下方に向けて一体的に垂設した内容物押出し容器１の第３実施形態を示し、第１容器２の開口部２ａに内蓋形状の第２容器３を相対回動自在に嵌合し、第１容器２の内壁面に沿って上下摺動する押出し体５に形成した四角形の孔部５ａに、第２容器３に垂設した水平断面が中空・四角形のシャフト６を挿通して、シャフト６の回転力を押出し体５に伝達可能であって、押出し体５及びシャフト６を同一方向に対して一体的に回転可能に設けている。一方、シャフト６の下端部は、第１容器２の底部２ｃ中央に形成した軸受部２ｇで軸受（或いはフリーでもよい）している。なお、回転力が伝達される形状であれば、例えば三角形、五角形、六角形、楕円形等の水平断面形状に押出し体５の孔部５ａ及びシャフト６を形成してもよい。
【００５２】
また、押出し体５の外周縁部に対して円周方向に所定間隔（又は所定角度）に隔てて取り付けた咬み込み片７，７は、第１容器２の内壁面に対して所定深さ咬み込むように突設され、外蓋４の開操作により第２容器３を介してシャフト６が回転されると、押出し体５が上方に向けて移動するような傾斜角度に設けている。なお、上述の第３実施形態に於いて、第１及び第２実施形態と同一構成の部分は同一の符号を記してその詳細な説明を省略する。
【００５３】
つまり、外蓋４を開方向に回動操作すると、ギャ１１及びギャ１２を介して、第２容器３とシャフト６とが一体的に回転され、下限降下位置に待機する押出し体５の咬み込み片７，７が第１容器２の内壁面に対して螺旋状に咬み込むとともに、咬み込み片７，７の咬み込みにより押出し体５が水平回転しながら上昇して、第１容器２に充填された内容物Ａを押出し体５により下方から加圧し、第２容器３の上面中央部に対してシャフト６を中心として円周方向に所定間隔に隔てて形成した複数の吐出口３ｃ…から所定量吐出させるので、第１実施形態と略同等の作用及び効果を奏することができる。
【００５４】
図１１、図１２は、押出し体５の外壁面に設けた複数の各咬み込み片７…を、第１容器２の内壁面に咬み込ませる内容物押出し容器１の第４実施形態を示し、第１容器２の開口部２ａに内蓋形状の第２容器３を相対回動自在に嵌合し、第１容器２の内壁面に沿って上下摺動する押出し体５に形成した四角形の孔部５ａに、第２容器３の吐出口３ｃに接続され該第２容器３の上部側中央内壁面に対して下方に向けて垂設した水平断面が中空・四角形のシャフト６を挿通して、シャフト６の回転力を押出し体５に伝達可能であって、押出し体５及びシャフト６を同一方向に対して一体的に回転可能に設けている。
【００５５】
また、押出し体５の外壁面に対して円周方向に所定間隔（又は所定角度）に隔てて取り付けた各咬み込み片７…は、第１容器２の内壁面に対して所定深さ咬み込むように突設され、外蓋４の開操作により第２容器３を介してシャフト６が回転されると、押出し体５が下方に向けて移動するような傾斜角度に設けている。なお、上述の第４実施形態に於いて、第１及び第２実施形態と同一構成の部分は同一の符号を記してその詳細な説明を省略する。
【００５６】
つまり、外蓋４を開方向に回動操作すると、ギャ１１及びギャ１２を介して、第２容器３とシャフト６とが一体的に回転され、押出し体５の各咬み込み片７…が第１容器２の内壁面に対して螺旋状に咬み込むとともに、咬み込み片７の咬み込みにより押出し体５が水平回転しながら降下して、第１容器２に充填された内容物Ａを、シャフト６の中を通って吐出口３ｃから所定量吐出させるので、第１実施形態と略同等の作用及び効果を奏することができる。
【００５７】
図１３は、２種類の内容物Ａ，Ｂを所定量吐出する内容物押出し容器１の第５実施形態を示し、第１容器２の開口部２ａに内蓋形状の第２容器３を相対回動自在に嵌合し、第２容器３の後側上縁部に枢着した外蓋４の下面中央部に、第２容器３上面に形成した２個の吐出口３ｃ，３ｄと対向して、該吐出口３ｃ，３ｄを閉塞する凸状の栓部４ａ，４ｂを設けている。
【００５８】
また、第２容器３の吐出口３ｃに接続され該第２容器３の上部側中央内壁面に対して下方に向けて垂設した水平断面が中空・丸形のシャフト６は、内容物Ｂが充填された第１容器２の下側内部に連通し、吐出口３ｃ近傍に形成した吐出口３ｄは、内容物Ａが充填された第２容器３に近い第１容器２の上側内部に連通している。なお、第１容器２の内側は、押出し体５の上下摺動をガイドするシリンダーの役目をするため、金属よりもプラスチックで形成することが望ましい。
【００５９】
また、シャフト６の下端は、第１容器２の内側中央寄り下部に位置する押出し体５の孔部５ａと、第２容器３に近い第１容器２の内側中央寄り上部に位置する押出し体５の孔部５ａとに挿通され、各孔部５ａ，５ａに設けた咬み込み片７，７は、内容物Ａ，Ｂを吐出する各押出し体５，５の移動方向に応じて所定の傾斜角度に設けている。なお、上述の第５実施形態に於いて、第１及び第２実施形態と同一構成の部分は同一の符号を記してその詳細な説明を省略する。
【００６０】
つまり、外蓋４を開方向に回動操作すると、ギャ１１及びギャ１２を介して、第２容器３とシャフト６とが一体的に回転し、各押出し体５，５の各咬み込み片７，７がシャフト６の外周面に対して螺旋状に咬み込むとともに、上部咬み込み片７は上部押出し体５を上昇させる方向に咬み込み、下部咬み込み片７は下部押出し体５を降下させる方向に咬み込むので、その咬み込みにより各押出し体５，５が互いに離間する方向に向けて相対移動して、第２容器３に充填された内容物Ａを吐出口３ｄから吐出させ、第１容器２に充填された内容物Ｂを、シャフト６の中を通って吐出口３ｃから吐出させるので、外蓋４を開操作するだけで、２種類の内容物Ａ，Ｂを略同時に所定量吐出することができ、第１及び第２実施形態と略同等の作用及び効果を奏することができる。また、咬み込み片７，７の何れか一方の角度を変更すれば、内容物Ａ，Ｂを異なる吐出量に設定することもできる。
【００６１】
本発明は、上述の実施形態の構成のみに限定されるものではなく、ウォームギャ機構に代わる他の機構として、例えば図１４に示すように、外蓋４を、第１容器２の軸受部２ｈに垂直軸受された支軸２０を中心として開方向に水平回動するとともに、ラチェット機構１３を介して、支軸２０上に組み付けたギャ２１と、第２容器３の上部外周面に形成したギャ２２とで構成される傘歯車機構を介して、第２容器３を、外蓋４の回動操作により矢印方向に回転してもよい。
【００６２】
また、図１５に示すように、第１容器２の軸受部２ｈに軸受された軸部材２ｉと、軸部材２ｉ後端に軸受された支軸３０ａとを介して、前後及び左右に対して回動自在に枢着された外蓋４を開方向に回動して、図中仮想線で示す上向きに起立した後、その外蓋４を、ラチェット機構１３を介して、軸部材２ｉ中心に軸受された支軸３０ｂを中心として左右方向に回動するとともに、支軸２０端部に固定したギャ３１と、第２容器３の上部外周面に形成したギャ３２とで構成される傘歯車機構を介して、第２容器３を、外蓋４の回動操作により矢印方向に回転してもよい。
【００６３】
加えて、前記板状の咬み込み片７に代えて、例えばリング状の咬み込み片７を押出し体５の孔部５ａ内壁面に埋設し、咬み込み片７の内周面に形成した螺旋形状の溝を中実又は中空のシャフト６の外周面に咬み込ませてもよい。
【００６４】
また、押出し体５の孔部５ａ内壁面を、シャフト６の螺旋形状に形成した外壁面が咬み込み許容される柔らかさに形成してもよく、螺旋形状の溝が外周面に形成されたリング状の咬み込み片７を押出し体５の外周に設けてもよい。
【００６５】
また、咬み込み片７を、押出し体５の上下外周縁部又は孔部５ａの上下内周縁部に対して接着固定するか、ネジ止めするか、嵌合する等してもよい。また、内容物Ａを押出し体５により下方から加圧して吐出する構造の場合、第１容器２には底部２ｃを設けなくてもよい。
【００６６】
この発明の構成と、上述の実施例との対応において、  
この発明の相対回動手段は、実施例のウォームギャ機構と、傘歯車機構とに対応し、  
以下同様に、  
回転規制手段は、ラチェット機構に対応するも、  
この発明は、上述の実施例の構成のみに限定されるものではない。
【産業上の利用可能性】
【００６７】
本発明の内容物押出し容器の構成は、例えば練り食品、接着剤、絵の具等の様々な内容物を所定量吐出するような用途にも利用することができる。
【図面の簡単な説明】
【００６８】
【図１】第１実施形態の内容物押出し容器の内部構造を示す縦断側面図。
【図２】図１の内容物押出し容器の内部構造を示す横断平面図。
【図３】シャフトに対する咬み込み片の咬み込み状態を示す拡大断面図。
【図４】シャフト及び咬み込み片の相対回動を示す縦断側面図。
【図５】外蓋の枢着構造を示す横断平面図。
【図６】第２実施形態の内容物押出し容器の内部構造を示す縦断側面図。
【図７】図６の内容物押出し容器の内部構造を示す下方から見た横断面図。
【図８】第３実施形態の内容物押出し容器の内部構造を示す縦断側面図。
【図９】外蓋の枢着構造及び吐出口の吐出構造を示す平面図。
【図１０】図８の内容物押出し容器の内部構造を示す横断平面図。
【図１１】第４実施形態の内容物押出し容器の内部構造を示す縦断側面図。
【図１２】図１１の内容物押出し容器の内部構造を示す横断平面図。
【図１３】第５実施形態の内容物押出し容器の内部構造を示す縦断側面図。
【図１４】外蓋の水平回動により吐出する他の機構を示す平面図。
【図１５】外蓋の前後左右回動により吐出するその他の機構を示す平面図。
【符号の説明】
【００６９】
Ａ，Ｂ…内容物
１…内容物押出し容器
２…第１容器
３…第２容器
３ｃ，３ｄ…吐出口
４…外蓋
５…押出し体
５ａ…孔部
６…シャフト
７…咬み込み片
１０，２０…支軸
１１，１２…ギャ
１３…ラチェット機構
２１，２２…ギャ
３０ａ，３０ｂ…支軸
３１，３２…ギャ
【図１】
2006230840.tif 000003
【図２】
2006230840.tif 000004
【図３】
2006230840.tif 000005
【図４】
2006230840.tif 000006
【図５】
2006230840.tif 000007
【図６】
2006230840.tif 000008
【図７】
2006230840.tif 000009
【図８】
2006230840.tif 000010
【図９】
2006230840.tif 000011
【図１０】
2006230840.tif 000012
【図１１】
2006230840.tif 000013
【図１２】
2006230840.tif 000014
【図１３】
2006230840.tif 000015
【図１４】
2006230840.tif 000016
【図１５】
2006230840.tif 000017